(57)【要約】【課題】リールユニットなどが備えられたユニットが容易に交換可能であるとともに、このユニットを強固にかつ容易に固定可能な遊技装置を提供すること。【解決手段】上部ユニットＢ１は、筐体Ｂ１１と、この筐体Ｂ１１の内部に配置されるリールユニットＢ１２と、演出ユニットＢ１３と、リールユニットＢ１２を制御する遊技制御基板１９２および演出ユニットＢ１３を制御する演出制御基板２０２とを備える。下部ユニットＢ２は、筐体Ｂ１１に連結される連結ボルト３２２と、この連結ボルト３２２の上部ユニットＢ１から離隔する方向への離脱を阻止する延長部２２２Ｃとを備える。【選択図】  図１１
2005073864.tif 000002
【特許請求の範囲】
【請求項１】
下部ユニットと、この下部ユニットに対して分離可能に構成された上部ユニットとを備え、
この上部ユニットは、筐体と、この筐体の内部に配置され複数のリールを有するリールユニットと、演出ユニットと、前記リールユニットを制御する遊技制御基板および前記演出ユニットを制御する演出制御基板とを備え、
前記下部ユニットは、前記筐体に連結される連結部材と、この連結部材の前記上部ユニットから離隔する方向への離脱を阻止する離脱阻止部材とを備えたことを特徴とする遊技装置。
【請求項２】
請求項１に記載された遊技装置において、
前記連結部材は、おねじを備え、前記上部ユニットは、前記おねじが螺合可能であるとともに前記筐体に固定されためねじを備えていることを特徴とする遊技装置。
【請求項３】
請求項２に記載された遊技装置において、
前記連結部材は、前記おねじの一端側に略棒状の軸部を備え、前記離脱阻止部材は、前記軸部が挿通可能であるとともに前記おねじが螺合可能な挿通孔を備えていることを特徴とする遊技装置。
【請求項４】
請求項２または請求項３に記載された遊技装置において、
前記軸部の他端側には、つまみ部が設けられていることを特徴とする遊技装置。
【請求項５】
請求項１ないし請求項４のいずれかに記載された遊技装置において、
前記下部ユニットは、前記上部ユニットを所定の方向に案内するガイド部を備え、
前記離脱阻止部材は、前記ガイド部と一体的に形成されていることを特徴とする遊技装置。
【発明の詳細な説明】
【技術分野】
【０００１】
本発明は、たとえば、いわゆるスロットマシンや回胴式遊技機などの遊技装置に関する。
【背景技術】
【０００２】
遊技装置として、外周に図側を配列した複数（通常、３個）のリールを回転させ、遊技者の操作に基づいて各リールを停止させ、全てのリールが停止したときに表示される図柄の組み合わせに基づいて入賞を判定し、その判定結果に従ってメダルを払い出す遊技機、いわゆる、パチスロと称される回胴式遊技機が知られている。
【０００３】
従来、回胴式遊技機の構造は、一体箱状に形成された筺体の内部に仕切板を配置して内部を上下に区切り、上方空間に複数のリールを有するリールユニット、ランプやスピーカなどの演出ユニット、これらを制御する遊技制御基板および演出制御基板を配置するとともに、下方空間にメダルホッパ、メダル回収ボックスおよび電源ユニットなどを配置した構造である。
【０００４】
ところで、遊技者のニーズも多様化しているため、遊技者の興味を喚起するためには、遊技構造を短期間で新機種に入れ替えなければならなくなってきている。しかし、従来の構造では、筐体毎に入れ替え作業をしなければならないため、運搬、設置作業に時間、労力がかかり、その結果、ホール管理者においては、作業時間、作業コスト、作業量の維持管理において多大な費用負担が強いられるという問題があった。
【０００５】
そこで、機種変更を容易に行うことを目的とした出願が提案されている。例えば、外周に図柄を配列した複数のリールを有するリールユニットと、遊技に関連した演出を行う演出装置と、前記リールユニットを制御する遊技制御基板と、演出装置を制御する演出制御基板とを備えたスロットマシンにおいて、リールユニット、遊技制御基板および演出制御基板を一体的に組み付けてユニット化し、このユニットを筐体内に交換可能に取り付けたスロットマシンが提案されている（たとえば、特許文献１）。
【０００６】
【特許文献１】特開２００３−１０３８４号公報
【発明の開示】
【発明が解決しようとする課題】
【０００７】
特許文献１では、リールユニット、遊技制御基板および演出制御基板を一体的に組み付けてユニット化し、このユニットを筐体内に交換可能に取り付け、筐体の棚板の前部に設けられたストッパでユニットを筐体内に固定する。しかし、このストッパは、ユニットの前後方向の移動を抑えるだけで、ユニットの上下方向の上下方向の移動を抑えることができず、ユニットを強固に固定できないという問題が残る。
【０００８】
そこで、このような課題を解決するために、筐体およびユニットを例えばねじ止めする方法が考えられる。ところが、ユニットには強い振動を与えたりしてはならない回路などを有する遊技制御基板や演出制御基板などが組み付けられているために、筐体の棚板の下側からねじ止め作業をするしかない。しかしながら、棚板の下側からねじ止め作業を実施する構成にすると、ユニットを筐体から取り外した際にねじが落下し易いため紛失し易く、ユニットの交換作業が困難になるという課題が残る。
【０００９】
本発明の目的は、リールユニットなどが備えられたユニットが容易に交換可能であるとともに、このユニットを強固にかつ容易に固定可能な遊技装置を提供することにある。
【課題を解決するための手段】
【００１０】
本発明の遊技装置は、下部ユニットと、この下部ユニットに対して分離可能に構成された上部ユニットとを備え、この上部ユニットは、筐体と、この筐体の内部に配置され複数のリールを有するリールユニットと、演出ユニットと、前記リールユニットを制御する遊技制御基板および前記演出ユニットを制御する演出制御基板とを備え、前記下部ユニットは、前記筐体に連結される連結部材と、この連結部材の前記上部ユニットから離隔する方向への離脱を阻止する離脱阻止部材とを備えたことを特徴とする。
【００１１】
この発明によれば、リールユニットなどが備えられた上部ユニットを下部ユニットから分離し、別のリールユニットなどが備えられた上部ユニットを下部ユニットに取り付けることによりリールユニットなどの交換作業を行える。ここで、下部ユニットには、上部ユニットの筐体に連結される連結部材が設けられている。このように、下部ユニットに、上部ユニットに連結される連結部材を設けたので、上部ユニットはこの連結部材により下部ユニットに強固に固定される。また、下部ユニットに設けられた連結部材により上部ユニットを固定するので、固定作業の際に、強い振動を与えたりしてはならない回路などを有する遊技制御基板や演出制御基板などが備えられた上部ユニットに接触する心配がなく、固定作業が容易に行える。さらに、下部ユニットに、連結部材の上部ユニットから離隔する方向への離脱を阻止する離脱阻止部材を設けているので、上部ユニットを下部ユニットから取り外した際にも、離脱阻止部材により連結部材が下部ユニットの所定の位置に保持される。そのため、上部ユニットの交換作業の際に連結部材を紛失する心配がなくなり、交換作業が容易に行える。
【００１２】
また、前記連結部材は、おねじを備え、前記上部ユニットは、前記おねじが螺合可能であるとともに前記筐体に固定されためねじを備えている構成が好ましい。
この発明では、連結部材におねじを備え、上部ユニットにこのおねじに螺合可能であるとともに筐体に固定されためねじを備えたので、連結部材のおねじをめねじに螺合させるだけの簡単な方法で、上部ユニットは下部ユニットに強固に固定される。また、連結部材を汎用されているおねじを備えた構成としたので、連結部材の入手が容易となり遊技装置のコスト削減を図れる。
【００１３】
さらに、前記連結部材は、前記おねじの一端側に略棒状の軸部を備え、前記離脱阻止部材は、前記軸部が挿通可能であるとともに前記おねじが螺合可能な挿通孔を備えている構成が好ましい。
この発明では、連結部材のおねじの一端側に略棒状の軸部を備え、離脱阻止部材に連結部材の軸部が挿通可能であるとともにおねじが螺合可能な挿通孔を備えた構成としている。これにより、おねじを挿通孔に螺合することにより、連結部材を離脱阻止部材に対して進退させることができるので、下部ユニットに離脱阻止部材を取り付けた後でも、連結部材を軸部が挿通部に挿通されかつおねじが離脱阻止部材よりも上部ユニット側に位置するように配設できる。そして、連結部材をこのように配設すれば、連結部材は、おねじの下端部において挿通孔に形成されたねじ山により支持され、上部ユニットから離隔する方向への離脱が阻止される。そのため、連結部材のおねじの一端側に軸部を備え、かつ、離脱阻止部材に連結部材の軸部が挿通可能であるとともにおねじが螺合可能な挿通孔を備えるだけの簡単な構成で、連結部材の上部ユニットから離隔する方向への離脱の阻止が可能になる。また、離脱を阻止するように連結部材を配設する作業が容易になる。
【００１４】
また、前記軸部の他端側には、つまみ部が設けられている構成が好ましい。
この発明では、連結部材の軸部の他端側につまみ部を設けているので、つまみ部をつまんで連結部材を操作でき、上部ユニットを下部ユニットに固定する作業がより容易に行える。
【００１５】
さらに、前記下部ユニットは、前記上部ユニットを所定の方向に案内するガイド部を備え、前記離脱阻止部材は、前記ガイド部と一体的に形成されている構成が好ましい。
この発明では、下部ユニットに上部ユニットを所定の方向に案内するガイド部を設けているので、このガイド部により上部ユニットを所定の方向へ容易に案内することができ、上部ユニットを下部ユニットに固定する作業がより容易に行える。また、離脱阻止部材およびガイド部を一体的に形成した構成としているので、離脱阻止部材およびガイド部を押出成型やプレス成型などによって容易に製造することができる。
【発明を実施するための最良の形態】
【００１６】
以下、本発明の一実施形態を図面に基づいて説明する。
図１は、本実施形態の遊技システムを示す斜視図である。図２は、遊技装置の前扉を開放した状態を示す斜視図である。図３は、遊技装置の前扉を開放した状態の正面図である。図４は、遊技装置の上部ユニット筐体内を上方から見た斜視図である。図５は、遊技装置の上部ユニット筐体内を下方から見た斜視図である。図６は、遊技装置の上部ユニットに設けられる閉塞ロック機構を示す図である。図７は、遊技装置の下部ユニットを上方から見た斜視図である。図８は、遊技装置の下部ユニットに取り付けられるコネクタを示す斜視図である。図９は、遊技装置の下部ユニットに取り付けられるヒンジ機構を示す図である。図１０は、遊技装置の下部ユニットの前扉を裏面から見た斜視図である。図１１は、遊技装置の上部ユニットと下部ユニットとの分離連結手段を示す図である。図１２は、遊技装置の上部ユニットと下部ユニットとの締結手段を示す図である。
【００１７】
［遊技システムの全体構成］
遊技システムは、図１に示すように、いわゆる「島」を構成する構造体Ａと、遊技装置Ｂと、遊技媒体貸出装置Ｃとを備えている。構造体Ａは、いわゆる「ホール」と称される床面上に配列設置される。遊技装置Ｂは、いわゆる「パチスロ」と称される回胴式遊技機で、構造体Ａに所定間隔おきに形成された枠空間内にそれぞれ収納配置される。遊技媒体貸出装置Ｃは、遊技装置Ｂにて遊技するための遊技媒体であるメダルを貸し出すための装置で、構造体Ａの枠空間内に各遊技装置Ｂと隣接配置される。
【００１８】
［構造体の構成］
構造体Ａは、図１に示すように、複数の遊技装置Ｂおよび遊技媒体貸出装置Ｃを載置するための載置台Ａ１と、遊技装置Ｂおよび遊技媒体貸出装置Ｃが並設した組毎にこれらを収納配置するための枠空間を形成する枠フレームＡ２とを備えている。載置台Ａ１は、横方向に長い略直線状の箱形状に形成されている。枠フレームＡ２は、遊技装置Ｂおよび遊技媒体貸出装置Ｃの組の間を仕切る仕切桟Ａ２１と、これら仕切桟Ａ２１の上端に跨って載置台Ａ１と略平行に架け渡された上梁Ａ２２とを備えて構成されている。
【００１９】
［遊技装置の構成］
遊技装置Ｂは、図２および図３に示すように、上部ユニットＢ１と、下部ユニットＢ２と、これら上部ユニットＢ１および下部ユニットＢ２を分離可能かつ一体的に連結可能とする分離連結手段Ｂ３とを備えている。
【００２０】
（上部ユニットの構成）
上部ユニットＢ１は、図２および図３に示すように、筐体Ｂ１１と、リールユニットＢ１２と、演出ユニットＢ１３と、遊技制御手段Ｂ１４と、演出制御手段Ｂ１５とを備えている。
【００２１】
筐体Ｂ１１は、一対の側板１１０と、この一対の側板１１０の上端間に架け渡された天板１２０と、一対の側板１１０の下端間に架け渡された底板１３０と、一対の側板１１０の後端間に架け渡された背板１４０と、一対の側板１１０の前端間に架け渡された前扉１５０とを備え、側面から見て略台形箱形状に形成されている。
【００２２】
側板１１０は、木製、たとえば、合板や集成材などによって台形板状に形成されているとともに、高さ方向中間位置よりやや下方位置に側面側把手１１１を備える。側面側把手１１１は、側板１１０の下部に横長矩形状の取付孔１１２が形成され、この取付孔１１２に合成樹脂によって偏平角筒状に形成された把手部材１１３が嵌合されて構成されている。把手部材１１３は、外端（側板外表面側）が開口されかつ内端に底壁を有する偏平角筒状の把手本体１１３Ａと、この把手本体１１３Ａの外周面に一体的に突設され側板１１０の内面に固定されるフランジ１１３Ｂとを備える。なお、向かって右側の側板１１０には、内面側前端縁上下位置に係合ピン１１４が水平に突設されているとともに、それらの間に係合ガイド片１１５が設けられている。係合ガイド片１１５は、図４に示すように、側板１１０内面に固定された固定片１１５Ａと、この固定片１１５Ａの下端から直角にかつ水平に折曲された受片１１５Ｂとを有するＬ字形状で、受片１１５Ｂの前端縁が下方へ傾斜された形状に形成されている。
【００２３】
天板１２０は、木製、たとえば、合板や集成材などによって横長矩形板状に形成されているとともに、後端縁に沿ってかつ所定間隔隔てて貫通形成された複数（３つ）の通気孔１２１（図５参照）を備えている。これら通気孔１２１は、天板１２０の内面側に貼り付けられた金属製のメッシュ体１２２によって塞がれている。このメッシュ体１２２は平面矩形状の金属板に複数の孔を有するパンチングメタルから形成されており、その上面が天板１２０の下面に接着、ボルト締めなどで固定されている。
【００２４】
底板１３０は、図４に示すように、鋼鈑によって横長矩形板状に一体形成されたベース部材１３１を備えている。このベース部材１３１の両側には摺動脚部材１３２が一体的に取り付けられている。
ベース部材１３１は、横長矩形板状で、前端および両端に下方に略直角に折り曲げられた折曲片１３１Ａ，１３１Ｂを有するとともに、後端に上方へ略直角に折り曲げられた折曲片１３１Ｃを備える。前端側折曲片１３１Ａには、両側に封止ねじ挿入孔１３１Ａ１が形成されているとともに、略中央位置に金属製の前面側把手１３３が一体的に取り付けられている。前面側把手１３３は、前端側折曲片１３１Ａの長さの約１／３程の長さを有し、前端側折曲片１３１Ａから前方に延長されたのち、上方へ直角に起立された形状を備えている。後端側折曲片１３１Ｃは、背板１４０の内面に固定されている。
【００２５】
背板１４０は、木製、たとえば、合板や集成材などによって、側板の高さ寸法に対応する高さを有する横長矩形板状に形成されている。また、背板１４０には、図５に示すように、上端縁に沿って複数の通気孔１４１が貫通形成されているとともに、上部両端縁に沿って縦長形状の通気孔１４２が貫通形成されている。これらの通気孔１４１，１４２は図示しない金属製のメッシュ体で塞がれている。
【００２６】
前扉１５０は、一端側が側板１１０（正面から見て左側の側板）にヒンジ機構１５１を介して開閉可能に装着されているとともに、他端側に閉塞ロック手段１６０を備えている。前扉１５０の外表面には、図１に示すように、略中央に横長矩形状の表示パネル１５３が、その両側にサイドランプ１５４が、これらの上部に液晶表示部１５５およびスピーカ１５６が、最上部に上部ランプ１５７が、それぞれ設けられている。表示パネル１５３の内部中央には、透明な窓部１５３Ａが形成されている。
【００２７】
閉塞ロック手段１６０は、図６に示すように、前扉１５０の他端側に設けられた固定プレート１６１と、この固定プレート１６１に隣接して上下方向へ変位可能に配置された可動プレート１６２と、この可動プレート１６２を常時下方へ付勢する付勢手段１６３とを備えている。
固定プレート１６１には、前扉１５０を閉じる方向へ回動していったとき、側板１１０の係合ガイド片１１５上に乗り上げる乗上片１６１Ａが一体に形成されているとともに、その上下位置に乗上片１６１Ａが係合ガイド片１１５に乗り上げた状態において、側板１１０の係合ピン１１４に嵌り込む嵌合溝１６１Ｂが形成されている。乗上片１６１Ａの下面には、係合ガイド片１１５上に乗り上げる段状の切欠部１６１Ａ１が形成されているとともに、その切欠部１６１Ａ１の前端縁が前方へ向かって上方へ傾斜する傾斜面１６１Ａ２に形成されている。嵌合溝１６１Ｂは、内径が係合ピン１１４の径より僅かに大きい径で、固定プレート１６１の前端縁に開口されている。
可動プレート１６２は、固定プレート１６１に２本のピンを介して上下方向へ変位可能に設けられたプレート本体１６２Ａを備える。プレート本体１６２Ａには、付勢手段１６３によってプレート本体１６２Ａが下方へ付勢された状態において、固定プレート１６１の下端より下方へ突出する操作部１６２Ｂが設けられているとともに、固定プレート１６１の嵌合溝１６１Ｂと対応する位置にロック片１６２Ｃが一体的に形成されている。ロック片１６２Ｃは、プレート本体１６２Ａから前方へ向かって突出され、その突出部の下面に下向き開口を有する溝部１６２Ｃ１およびこの溝部１６２Ｃ１から連続して前方へ向かうに従って上方へ傾斜する傾斜面１６２Ｃ２を備える。
付勢手段１６３は、引張コイルばねによって構成され、下端が固定プレート１６１に固定され、上端が可動プレート１６２に固定されている。
【００２８】
リールユニットＢ１２は、図２および図３に示すように、リールボックス１７１と、このリールボックス１７１内に並設して収納配置された複数（３つ）のリール１７２とを備えている。
リールボックス１７１は、たとえば、鋼鈑などによって前面を開放した略直方体形状の箱状に形成され、下面が筐体Ｂ１１の底板１３０に固定されている。
リール１７２は、前扉１５０の透明な窓部１５３Ａに臨む位置でリールボックス１７１内に配置され、それぞれに連結されたモータ（たとえば、ステッピングモータ）の駆動によって回転される。リール１７２の外周面には、複数個（たとえば、２１個）の図柄が等間隔で配列されている。図柄は、ビッグボーナス（ＢＢ）図柄、レギュラーボーナス（ＲＢ）図柄、小役図柄、リプレイ図柄などから構成され、それぞれのリール１７２毎に図柄が異なる配列で配置されている。リール１７２の内部には、それぞれのリール１７２の図柄を背面（リール内部）から照らすバックライトが取り付けられている。これにより、遊技者は、表示パネル１５３の透明な窓部１５３Ａを通して、各リール１７２の絵柄の移動を視認することができる。
【００２９】
演出ユニットＢ１３は、図１に示すように、前扉１５０の外表面に設けられた各種ランプおよびスピーカなどで構成されている。具体的には、前扉１５０の略中央両側に設けられたサイドランプ１５４と、上部に設けられた液晶表示部１５５およびスピーカ１５６と、最上部に設けられた上部ランプ１５７とから構成されている。これらランプ１５４，１５７、液晶表示部１５５、スピーカ１５６は、図示しない駆動回路を介して演出制御手段Ｂ１５によって制御され、ゲーム中の一般的な入賞報知やマシン動作の効果音、効果サラウンドなどの出力を行うほか、さまざまな内部当選の結果を遊技者に告知する。
【００３０】
遊技制御手段Ｂ１４は、図３および図５に示すように、筐体Ｂ１１の背板１４０の内面に基板取付フレーム１９１を介して取り付けられた遊技制御基板１９２によって構成されている。
基板取付フレーム１９１は、金属（鋼鈑など）によって横長矩形枠形状に形成され、筐体Ｂ１１の背板１４０の内面に止めねじによって固定されている。また、基板取付フレーム１９１には、メッシュ体１２２から延長された連結帯１２２Ａが接触されている。つまり、メッシュ体１２２と基板取付フレーム１９１とが導通接続されている。
遊技制御基板１９２は、入力ポートおよび出力ポートを有するとともに、メダルセンサ、クロック発生回路、スタートレバー、第１〜第３のリールインデックス、停止ボタン、第１〜第３のリール表示器、メダルブロックソレノイド、スタートレバーＬＥＤ、３個のＢＥＴ表示ランプなどの周辺機器（いずれも図示省略）が電気的に接続されている。リールインデックスでは、リール１７２が一回転する毎に発生するリセットパルスを検出し、その所定の基準値からの回転角度をリール１７２の回転位置として計数し、その計数値を遊技制御基板１９２に与える。遊技制御基板１９２では、各リール１７２の回転位置の組み合わせから（絵柄の組み合わせから）、入賞を判定し、メダルの払い出しや、遊技状況に応じて演出制御手段Ｂ１５に各種信号を出力する。
【００３１】
演出制御手段Ｂ１５は、図３に示すように、筐体Ｂ１１の一方の側板１１０の内面に基板取付フレーム２０１を介して取り付けられた演出制御基板２０２によって構成されている。基板取付フレーム２０１とメッシュ体１２２とは導通接続されている。本実施形態では、基板取付フレーム１９１，２０１は金属板などで接続され、かつ、アース接続されている。これにより、筐体Ｂ１１全体がシールドされることになる。
演出制御基板２０２は、ＣＰＵ、音声ＬＳＩ、データ入力回路、クロック発生回路、制御用ＲＯＭ、ＲＡＭ、音声用ＲＯＭ、アンプ回路などを備え、液晶表示部１５５、上部ランプ１５７、サイドランプ１５４、リールバックライト、スピーカ１５６などを制御する。つまり、遊技制御基板１９２からの信号に基づき、遊技状況に応じて、液晶表示部１５５、上部ランプ１５７、サイドランプ１５４、リールバックライト、スピーカ１５６などを制御する。
【００３２】
（下部ユニットの構成）
下部ユニットＢ２は、図１、図２および図３に示すように、筐体Ｂ２１と、遊技媒体投入手段Ｂ２２と、操作手段Ｂ２３と、電源ユニットＢ２４と、外部集中端子板Ｂ２５と、遊技媒体回収払出手段Ｂ２６とを備えている。
【００３３】
筐体Ｂ２１は、一対の側板２１０と、この一対の側板２１０の上端縁から所定寸法離れた位置間に架け渡された天板２２０と、一対の側板２１０の下端間に架け渡された底板２３０と、一対の側板２１０の後端間に架け渡された背板２４０と、一対の側板２１０の前端間に架け渡された前扉２５０とを備え、側面から見て略台形箱形状に形成されている。
【００３４】
側板２１０は、木製、たとえば、合板や集成材などによって台形板状に形成されている。なお、向かって左側の側板２１０内面には電源ユニットＢ２４が取り付けられているとともに、向かって右側の側板２１０の内面前端縁上下位置に係合ピン２１４が水平に突設されているとともに、それらの間に係合ガイド片２１５が設けられている。係合ガイド片２１５は、係合ガイド片１１５と同様に、側板２１０内面に固定された固定片と、この固定片の下端から直角にかつ水平に折曲された受片とを有するＬ字形状で、受片の前端縁が下方へ傾斜された形状に形成されている。
【００３５】
天板２２０は、木製、たとえば、合板や集成材などによって横長矩形板状に形成されているとともに、一対の側板２１０の上部間に止めねじによって固定されている。天板２２０の前端縁には、図７に示すように、後端縁に向かって凹状に切り欠かれた凹部２２１が形成されている。凹部２２１は、下部ユニットＢ２内に配置された遊技媒体回収払出手段Ｂ２６に、下部ユニットＢ２の上部からメダルの補充する際のメダル投入口として形成されている。
【００３６】
天板２２０の上面において、両端側には上部ユニットＢ１の摺動脚部材１３２を前後方向へ摺動自在にガイドするレール部材２２２が固定されているとともに、このレール部材２２２の間には上部ユニットＢ１が後端側へ向かって収納されたとき上部ユニットＢ１に当接し上部ユニットＢ１の後退を規制するストッパ部材２２３が固定されている。ストッパ部材２２３は、天板２２０上面に固定された固定片２２３Ａと、この固定片２２３Ａの前端縁から上方へ略直角に折り曲げられ上部ユニットＢ１の下端部に当接する起立片２２３Ｂとを備えている。固定片２２３Ａは、数本の止めねじ２２４によって天板２２０に固定されている。起立片２２３Ｂには、両側に封じねじ螺合孔２２３Ｂ１が形成されている。
【００３７】
天板２２０の下面において、凹部保護プレート２２５およびコネクタ取付プレート２２６が、ストッパ部材２２３を固定した止めねじ２２４によって固定されている。凹部保護プレート２２５は、天板２２０の下面に固定された固定片２２５Ａと、この固定片２２５Ａの先端から上方へ起立した起立片２２５Ｂとを有し、起立片２２５Ｂが凹部２２１内端面を覆うように配置されている。コネクタ取付プレート２２６は、図８に示すように、天板２２０の下面に固定された固定片２２６Ａと、この固定片２２６Ａの先端から下方へ垂下した垂下片２２６Ｂとを有している。垂下片２２６Ｂには、両端側に係合孔２２７が形成されているとともに、これらの間にコネクタ２２８が取り付けられている。
【００３８】
コネクタ２２８には、電源用コネクタ端子２２８Ａ、演出ユニット用コネクタ端子２２８Ｂ、主基板用コネクタ端子２２８Ｃなどが設けられているとともに、これらが透明な合成樹脂などから形成されたコネクタカバー２２９によって覆われている。
【００３９】
コネクタカバー２２９は、背面側を開口した偏平箱状のカバー本体２２９Ａと、このカバー本体２２９Ａの開口部一端側に一体的に設けられ係合孔２２７に回動可能に係合される折返フック片２２９Ｂと、カバー本体２２９Ａの開口部他端側に一体的に設けられ係合孔２２７に係止される係合爪２２９Ｃとを備えている。折返フック片２２９Ｂは、カバー本体２２９Ａの開口部一端縁からカバー本体２２９Ａの側壁と略平行になるように略Ｕ字形状に折曲形成されている。係合爪２２９Ｃは、カバー本体２２９Ａの開口部一端縁から延長され弾性変形可能な腕部２２９Ｃ１と、この腕部２２９Ｃ１の先端に外側に突起した爪部２２９Ｃ２とを備えている。爪部２２９Ｃ２の先端外側面は、先端から腕部へ向かうに従って外側へ傾斜する傾斜面に形成されている。
【００４０】
底板２３０は、木製、たとえば、合板や集成材などによって横長矩形板状に形成されるとともに、一対の側板２１０の下部間に止めねじによって固定されている。
【００４１】
背板２４０は、木製、たとえば、合板や集成材などによって、側板の高さ寸法に対応する高さを有する横長矩形板状に形成されている。
【００４２】
前扉２５０は、一端側が片方の側板２１０に図９に示すヒンジ機構２５１を介して開閉可能に装着されているとともに、他端側に閉塞ロック手段２６０を備えている。前扉の外表面には、図１に示すように、表示パネル２５３が取り付けられているとともに、その下方位置に、入賞時に獲得したメダルを払い出すメダル払出口２５５、および、メダル受皿部２５６がそれぞれ設けられている。また、前扉２５０の内表面（裏面）側には、図１０に示すように、操作手段Ｂ２３の各種ボタン（スタートレバーや停止ボタンなど）を一括して配置する中継基板２５７が設けられている。
なお、閉塞ロック手段２６０は、上部ユニットＢ１の前扉１５０の閉塞ロック手段１６０と同一構造であるため、説明を省略する。
【００４３】
遊技媒体投入手段Ｂ２２は、前扉２５０の上端面に設けられたメダル投入口によって構成されている。
操作手段Ｂ２３は、前扉２５０の外表面上部位置に配置された複数のボタンによって構成されている。すなわち、複数のリール１７２を回転させて遊技をスタートさせるためのスタートレバー２６１、各リール１７２の回転停止を指令する３つの停止ボタン２６２のほか、ベッドスイッチや精算ボタンなどから構成されている。
電源ユニットＢ２４は、リールユニットＢ１２、演出ユニットＢ１３、遊技制御手段Ｂ１４、演出制御手段Ｂ１５、遊技媒体回収払出手段Ｂ２６などに電力を供給するためのもので、筐体Ｂ２１の（左側）側板２１０の内面に固定されている。
外部集中端子板Ｂ２５は、筐体Ｂ２１の（右側）側板２１０の内面に固定されている。
遊技媒体回収払出手段Ｂ２６は、下部ユニット内に設けられたメダルホッパ２７１と、このメダルホッパから溢れたメダルを収容する余剰メダル収容タンク２７２とを備えている。メダルホッパ２７１は、既存の構造のもので、所定量のメダルを貯えるとともに、遊技制御基板１９２からの指令に基づき、貯えたメダルをメダル払出口から払い出す。
【００４４】
（分離連結手段の構成）
分離連結手段Ｂ３は、図１１に示すように、上部ユニットＢ１の底板１３０に設けられた摺動脚部材１３２と、下部ユニットＢ２の天板２２０に設けられたレール部材２２２と、上部ユニットＢ１が下部ユニットＢ２の定位置に組み込まれた状態において上部ユニットＢ１の前方への移動を阻止するストッパ機構Ｂ３３と、上部ユニットＢ１の底板１３０と下部ユニットＢ２の天板２２０とを締結する締結手段Ｂ３４とを備えて構成されている。
【００４５】
摺動脚部材１３２は、１枚の板材の折り曲げ加工によって形成されている。つまり、上部ユニットＢ１の側板１１０内面にねじ止め固定された固定片１３２Ａと、この固定片１３２Ａの下端から筐体Ｂ１１内へ向かって略直角に折り曲げられた水平折曲片１３２Ｂと、この水平折曲片１３２Ｂの先端から下方へ向かって略直角に折り曲げ加工され溶接などにより底板１３０の折曲片１３１Ｂの側面に一体的に連結される連結片１３２Ｃと、この連結片１３２Ｃの下端に折曲形成されたＬ字形状の摺動部１３２Ｄとを有する形状に折り曲げ加工されている。
【００４６】
レール部材２２２は、１枚の板材の折り曲げ加工によって形成されている。つまり、断面コ字型に折曲形成され、摺動脚部材１３２の摺動部１３２Ｄを筐体Ｂ２１の前後方向へ移動可能にガイドするガイド部２２２Ａと、このガイド部２２２Ａの上部水平片の２箇所から上方に切り起こされた固定片２２２Ｂと、ガイド部２２２Ａの下部水平片先端から僅か上方へ段差を持って折曲されたのち筐体Ｂ２１内へ水平に延長された離脱阻止部材としての延長部２２２Ｃとを有する形状に折り曲げ加工されている。固定片２２２Ｂは筐体Ｂ２１の側板２１０内面に、延長部２２２Ｃは筐体Ｂ２１の天板２２０にそれぞれ止めねじによって固定されている。
【００４７】
ストッパ機構Ｂ３３は、下部ユニットＢ２の側板２１０に固定された保持枠３１１と、この保持枠３１１内に上下方向へ昇降可能に設けられたストッパ片３１２と、このストッパ片３１２を常時上方へ突出する方向へ付勢する付勢手段３１３とを備えている。ストッパ片３１２は、先端が下部ユニットＢ２の天板２２０およびレール部材２２２に形成された開口３１２Ａに対して出没可能に設けられているとともに、下端に操作部３１２Ｂを備える。付勢手段３１３は、引張スプリングによって構成されている。引張スプリングは、その上端が保持枠３１１の上部に係止され、下端がストッパ片３１２の下端に係止されている。
【００４８】
締結手段Ｂ３４は、下部ユニットＢ２の天板２２０に設けられた挿通孔およびレール部材２２２の延長部２２２Ｃに設けられた挿通孔２２２Ｄから上部ユニットＢ１の底板１３０に設けられた挿通孔３２１を通って挿通された連結部材としての連結ボルト３２２と、上部ユニットＢ１の底板１３０上側から連結ボルト３２２に螺合されるめねじとしてのナット部材３２３とから構成されている。延長部２２２Ｃの挿通孔２２２Ｄの内周には、図１２に示すように、めねじ３２４が形成されている。連結ボルト３２２には、略棒状の軸部３２２Ｃの上部にナット部材３２３およびめねじ３２４に螺合するおねじ３２２Ａが形成されているとともに、軸部３２２Ｃの下端部につまみ３２２Ｂが設けられている。
【００４９】
従って、連結ボルト３２２のおねじ３２２Ａがナット部材３２３から外れた状態でも、連結ボルト３２２のおねじ３２２Ａの下端部が延長部２２２Ｃの挿通孔２２２Ｄに設けられためねじ３２４の上端部で支持され、それ以上下方へ落下することが阻止されている。つまり、連結ボルト３２２の落下が防止されている。
また、連結ボルト３２２およびナット部材３２３は、それぞれ導電性を有する金属によって構成されているとともに、これらに下部ユニットＢ２および上部ユニットＢ１の金属物が接続されている。
【００５０】
［遊技媒体貸出装置の構成］
遊技媒体貸出装置Ｃは、図１に示すように、遊技装置Ｂに対して正面から見て右側に位置して、構造体Ａ内に配置される。側面から見て、遊技装置Ｂと略同形状で横幅寸法が十数ｃｍ程度の偏平状のケース体Ｃ１を有している。
ケース体Ｃ１の正面には、カード挿入口Ｃ１１、紙幣挿入口Ｃ１２、メダル払出口Ｃ１３が上から順に設けられている。メダル払出口Ｃ１３には、シュートＣ１４が取り付けられている。シュートＣ１４の下端は、下部ユニットＢ２のメダル受皿部２５６に臨ませられている。
【００５１】
［遊技システムの作用］
（上部ユニットの結合動作）
上部ユニットＢ１を下部ユニットＢ２に結合するには、下部ユニットＢ２の天板２２０上に上部ユニットＢ１を載置する。この際、下部ユニットＢ２のレール部材２２２に上部ユニットＢ１の摺動脚部材１３２が嵌り込むように、下部ユニットＢ２に対して上部ユニットＢ１を位置合わせするとともに、ストッパ機構Ｂ３３のストッパ片３１２を付勢手段（引張スプリング）３１３に抗して下方へ引き下げ、ストッパ片３１２の上端を開口３１２Ａより下方に位置させる。
【００５２】
この状態において、上部ユニットＢ１を下部ユニットＢ２の後方へ押し込んでいくと、上部ユニットＢ１の底板１３０の前端側折曲片１３１Ａが下部ユニットＢ２の天板２２０に設けられたストッパ部材２２３に当接される。ここで、ストッパ機構Ｂ３３の付勢手段（引張スプリング）３１３の付勢力によってストッパ片３１２を上昇させ、ストッパ片３１２の上端を開口３１２Ａより上方へ突出させると、ストッパ片３１２の突出部が上部ユニットＢ１の摺動脚部材１３２の前端に当接した状態となるため、上部ユニットＢ１の前方への引き出しが阻止される。
【００５３】
ここで、締結手段Ｂ３４の連結ボルト３２２を上へ持ち上げながら、おねじ３２２Ａをナット部材３２３に螺合していくと、これらによって、上部ユニットＢ１の底板１３０と下部ユニットＢ２の天板２２０とが締め付けられていくから、上部ユニットＢ１を下部ユニットＢ２に一体的に結合することができる。
最後に、上部ユニットＢ１の前端側折曲片１３１Ａの両側に設けられた封止ねじ挿入孔１３１Ａ１から封止ねじを挿入し、下部ユニットＢ２のストッパ部材２２３に設けられたねじ螺合孔２２３Ｂ１に螺合したのち、封止を行う。これにより、上部ユニットＢ１と下部ユニットＢ２とが一体とみなされる。
【００５４】
（上部ユニットの分離動作）
上部ユニットＢ１を下部ユニットＢ２から分離するには、上部ユニットＢ１および下部ユニットＢ２の前扉１５０，２５０をそれぞれ開放し、締結手段Ｂ３４の連結ボルト３２２を緩める。つまり、上部ユニットＢ１側に位置するナット部材３２３を保持して回動規制した状態で、連結ボルト３２２を緩める。すると、連結ボルト３２２がナット部材３２３から外れる。この状態において、ストッパ機構Ｂ３３のストッパ片３１２を付勢手段（引張スプリング）３１３に抗して下方へ引き下げ、ストッパ片３１２の上端を開口３１２Ａより下方に位置させた状態において、上部ユニットＢ１の前面側把手１３３に指を掛けて上部ユニットＢ１を前方へ引き出す。
【００５５】
上部ユニットＢ１の側面側把手１１１が構造体Ａより露出する位置まで、上部ユニットＢ１を引き出したのち、上部ユニットＢ１の側面側把手１１１を両側から両手で把持しながら、上部ユニットＢ１を更に前方へ引き出すと、上部ユニットＢ１を下部ユニットＢ２から分離させることができる。
【００５６】
［実施形態の効果］
本実施形態によれば、次の作用効果が期待できる。
＜上部ユニットと下部ユニットとの分離・連結構造に伴う効果＞
（１）下部ユニットＢ２に対して上部ユニットＢ１を、分離連結手段Ｂ３によって分離可能かつ前後方向に移動可能としたので、遊技装置Ｂの機種入れ替え作業時には、上部ユニットＢ１のみを丸ごと入れ替えるだけでよいから、入れ替え作業時の作業効率を向上させることができる。つまり、入れ替え作業時の作業時間の短縮、入れ替え作業の簡便化が図れる。その結果、遊技装置Ｂが設置される遊技ホールの保守管理費用の低減が図れる。
【００５７】
（２）分離連結手段Ｂ３は、上部ユニットＢ１の底板１３０に設けられた摺動脚部材１３２と、下部ユニットＢ２の天板２２０に設けられ摺動脚部材１３２を下部ユニットＢ２の前後方向へ移動可能に案内するレール部材２２２とを備えているから、上部ユニットＢ１を下部ユニットＢ２に押し込んで連結する際、あるいは、上部ユニットＢ１を下部ユニットＢ２から引き出して分離する際、これらの作業を容易にかつ安全に行うことができる。
たとえば、上部ユニットＢ１を下部ユニットＢ２に連結する際には、下部ユニットＢ２のレール部材２２２に上部ユニットＢ１の摺動脚部材１３２が嵌り込むように、下部ユニットＢ２に対して上部ユニットＢ１を位置合わせしたのち、上部ユニットＢ１を下部ユニットＢ２の後方へ押し込んでいくだけで、上部ユニットＢ１を下部ユニットＢ２の上に組み込むことができる。さらに、上部ユニットＢ１が定位置まで押し込まれると、上部ユニットＢ１が下部ユニットＢ２のストッパ部材２２３に当接して、上部ユニットＢ１のそれ以上の押し込みが阻止されるから、上部ユニットＢ１を下部ユニットＢ２の定位置に位置決めすることができる。従って、連結作業を容易にかつ安全に行うことができる。しかも、上部ユニットＢ１を下部ユニットＢ２に対してスライドさせることで、連結、分離が行えるので、構造体Ａで仕切られた枠空間内に上部ユニットＢ１および下部ユニットＢ２が収納配置されているように状況にあっても、これらの作業を容易にかつ安全に行うことができる。
【００５８】
（３）分離連結手段Ｂ３は、更に、上部ユニットＢ１が下部ユニットＢ２の定位置に組み込まれた状態において、上部ユニットＢ１の前方への移動を阻止するストッパ機構Ｂ３３と、上部ユニットＢ１の底板１３０と下部ユニットＢ２の天板２２０とを締結する締結手段Ｂ３４とを備えているから、ストッパ機構Ｂ３３によって上部ユニットＢ１が定位置に押し込まれたのちは、前方への脱出が阻止される。従って、その後、締結手段Ｂ３４によって、上部ユニットＢ１と下部ユニットＢ２との締結作業を安全に行うことができる。
【００５９】
（４）ストッパ機構Ｂ３３は、下部ユニットＢ２の側板２１０に固定された保持枠３１１と、この保持枠３１１内に上下方向へ昇降可能に設けられたストッパ片３１２と、このストッパ片３１２を常時上方へ突出する方向へ付勢する付勢手段３１３とを備える。ストッパ片３１２は、先端が下部ユニットＢ２の天板２２０に形成された開口３１２Ａに対して出没可能に設けられているとともに、下端に操作部３１２Ｂを備えているから、上部ユニットＢ１を下部ユニットＢ２に組み込む際、ストッパ片３１２を付勢手段３１３に抗して下方へ引き下げ、ストッパ片３１２の上端を開口３１２Ａより下方に位置させた状態で上部ユニットＢ１を下部ユニットＢ２に組み込んだのち、付勢手段３１３の付勢力によってストッパ片３１２を上昇させ、ストッパ片３１２の上端を開口３１２Ａより上方へ突出させると、ストッパ片３１２の突出部が上部ユニットＢ１の摺動脚部材１３２の前端に当接した状態となるため、上部ユニットＢ１の前方への引き出しが自動的に阻止される。
【００６０】
（５）本実施の形態において、下部ユニットＢ２には、上部ユニットＢ１に連結される連結部材が設けられている。このように、下部ユニットＢ２に上部ユニットＢ１に連結される連結部材を設けたので、この連結部材により上部ユニットＢ１を下部ユニットＢ２に強固に固定できる。また、下部ユニットＢ２に設けられた連結部材の操作により上部ユニットＢ１を固定できるので、固定作業の際に、強い振動を与えたりしてはならない回路などを有する遊技制御基板１９２や演出制御基板２０２などが備えられた上部ユニットＢ１に接触する心配がなく、固定作業を容易にできる。さらに、下部ユニットＢ２に、連結部材の落下を阻止する延長部２２２Ｃを設けているので、上部ユニットＢ１を下部ユニットＢ２から取り外した際にも、連結部材は延長部２２２Ｃにより下部ユニットＢ２の所定の位置に保持される。そのため、上部ユニットＢ１の交換作業の際に連結部材を紛失する心配がなくなり、交換作業を容易にできる。
【００６１】
（６）また、特に本実施の形態において、連結部材としておねじ３２２Ａを備えた連結ボルト３２２を採用し、上部ユニットＢ１におねじ３２２Ａが螺合可能であるとともに筐体Ｂ１１に固定されたナット部材３２３を設けている。そのため、おねじ３２２Ａをナット部材３２３に螺合させるだけの簡単な方法で、上部ユニットＢ１を下部ユニットＢ２に強固に固定できる。また、連結部材に汎用されている連結ボルト３２２採用したので、連結部材の入手が容易となり遊技装置Ｂのコストを削減できる。
【００６２】
（７）連結ボルト３２２の軸部３２２Ｃにつまみ部３２２Ｂを備えているので、このつまみ部３２２Ｂをつまんで連結ボルト３２２を操作でき、上部ユニットＢ１を下部ユニットＢ２に固定する作業をより容易にできる。
【００６３】
（８）レール部材２２２には上部ユニットＢ１が後端側へ向かって収納されたとき上部ユニットＢ１に当接し上部ユニットＢ１の後退を規制するストッパ部材２２３が取り付けられているから、上部ユニットＢ１を押し込んで収納する際に上部ユニットＢ１がストッパ部材２２３に当接することで、上部ユニットＢ１の押し込み時の位置決めが行えるので、上部ユニットＢ１の押し込み作業がより容易になる。
【００６４】
（９）ストッパ部材２２３は、下部ユニットＢ２の上面に固定された固定片２２３Ａと、この固定片２２３Ａの前端縁から上方へ折り曲げられ上部ユニットＢ１に当接する起立片２２３Ｂとを備えているから、固定片２２３Ａと起立片２２３Ｂとが一体形成されることになる。そのため、ストッパ部材２２３を押出成型やプレス成型などによって容易に製造することができる。
【００６５】
（１０）レール部材２２２は、摺動脚部材１３２をガイドするガイド部２２２Ａと、このガイド部２２２Ａの上部水平片から上方に切り起こされる固定片２２２Ｂとを備えているので、ガイド部２２２Ａと固定片２２２Ｂとが一体に形成されることで、レール部材２２２を押出成型やプレス成型などによって容易に製造することができる。
【００６６】
（１１）下部ユニットＢ２は、天板２２０と、この天板２２０に上端縁から離れた位置で取り付けられる側板２１０とを備え、この側板２１０の上端側内側にレール部材２２２の固定片２２２Ｂが固定される構成であるので、上部ユニットＢ１の底板１３０と下部ユニットＢ２の天井板２２０との間にスペースが形成されることになるので、このスペースの中にレール部材２２２とこのレール部材の上に位置する摺動脚部材１３２とが配置されることになる。そのため、上部ユニットＢ１と下部ユニットＢ２とを隙間なく上下に配置することができるので、遊技装置の外観が良好となる。
【００６７】
＜上部ユニットの効果＞
（１２）上部ユニットＢ１には、底板１３０の前端に金属製の前面側把手１３３が一体的に取り付けられているとともに、側板１１０に側面側把手１１１が設けられているから、上部ユニットＢ１を下部ユニットＢ２に連結する際、あるいは、上部ユニットＢ１を下部ユニットＢ２から分離する際に、これらの把手１３３，１１１を使って、作業を容易にかつ安全に行うことができる。たとえば、上部ユニットＢ１を下部ユニットＢ２から前方へ引き出す際には、まず、前面側把手１３３を使って上部ユニットＢ１を前方へ引き出し、側面側把手１１１が構造体Ａより露出された位置まで引き出されたのち、側面側把手１１１を使って上部ユニットＢ１を下部ユニットＢ２から完全に分離できるから、つまり、上部ユニットＢ１を下部ユニットＢ２から完全に分離する時点では側面側把手１１１を使って上部ユニットＢ１を両側から持ち抱えることができるから、これらの作業を容易にかつ安全に行うことができる。
【００６８】
（１３）上部ユニットＢ１は筐体Ｂ１１を有し、筐体Ｂ１１は木製の側板１１０、天板１２０、背板１４０と、鋼板から一体形成された底板１３０とから構成されているから、底板１３０の剛性を高めることができる。しかも、底板１３０は、鋼板で形成されるため、底板１３０に比較的重量のあるリールユニットＢ１２が取り付けられても、リールユニットＢ１２の重さによって底板１３０が撓むことがない。そのため、この点からも、上部ユニットＢ１を下部ユニットＢ２に対して容易に引き出し押し込む作業が容易に行える。さらに、ベース部材１３１の両側に一体的に金属製の摺動脚部材１３２が結合されているので、摺動脚部材１３２によってベース部材１３１の剛性を高めることができる。そのうえ、ベース部材１３１の各辺にも折曲片１３１Ａ，１３１Ｂ，１３１Ｃが形成されているから、これらの相乗効果によってより高い剛性を確保できる。その結果、ベース部材１３１の上面に固定されたリールボックス１７１を安定して支持することができる。
【００６９】
（１４）上部ユニットＢ１の前扉１５０には、前扉１５０を下方から上方へ力を掛けた状態で、前扉１５０を閉じると、前扉１５０を筐体Ｂ１１に閉塞ロックできる閉塞ロック手段１６０が設けられているから、筐体Ｂ１１に対して前扉１５０を確実に閉じることができるとともに、ヒンジ機構１５１への負荷も軽減できる。
通常、ヒンジ機構には前扉およびこれに取り付けられた付属物の重量がかかっているため、前扉を開けたとき、前扉が正規の高さ位置より下がって開放される虞がある。このような状態のまま、前扉を閉じると、筐体側と前扉側の係合部がずれて正確に閉じられないばかりでなく、ヒンジ機構にも無理な力がかかりヒンジ機構の破損を招く虞がある。本実施形態の閉塞ロック手段１６０では、前扉１５０を下方から上方へ力を掛けた状態で、前扉１５０を閉じると、前扉１５０を筐体Ｂ１１に閉塞ロックできるようにしたから、筐体Ｂ１１に対して前扉１５０を確実に閉じることができるとともに、ヒンジ機構１５１への負荷も軽減できる。
【００７０】
（１５）閉塞ロック手段１６０は、前扉１５０の他端側に設けられた固定プレート１６１と、この固定プレート１６１に隣接して上下方向へ変位可能に配置された可動プレート１６２と、この可動プレート１６２を常時下方へ付勢する付勢手段１６３とを備え、固定プレート１６１には、前扉１５０を閉じる方向へ回動していったとき、側板１１０の係合ガイド片１１５に乗り上げる乗上片１６１Ａが一体に形成されているから、前扉１５０が正規の高さ位置より下がって開放された状態から、前扉１５０を閉じても、前扉１５０側の乗上片１６１Ａが側板１１０の係合ガイド片１１５上に乗り上げて、前扉１５０の高さ位置を正規に位置に戻すから、前扉１５０を確実に閉じることができる。
しかも、乗上片１６１Ａの下面には、係合ガイド片１１５上に乗り上げる段状の切欠部１６１Ａ１が形成されているとともに、その切欠部１６１Ａ１の前端縁が前方へ向かって上方へ傾斜する傾斜面１６１Ａ２に形成されているから、この傾斜面１６１Ａ２によって乗上片１６１Ａを係合ガイド片１１５上にスムーズに乗り上がらせることができる。
【００７１】
（１６）可動プレート１６２には、付勢手段１６３によってプレート本体１６２Ａが下方へ付勢された状態において、固定プレート１６１の下端より下方へ突出する操作部１６２Ｂが設けられているとともに、固定プレート１６１の嵌合溝１６１Ｂと対応する位置にロック片１６２Ｃが一体的に形成されている。ロック片１６２Ｃは、プレート本体１６２Ａから前方へ向かって突出され、その突出部の下面に下側に開口を有する溝部１６２Ｃ１およびこの溝部１６２Ｃ１から連続して前方へ向かうに従って上方へ傾斜する傾斜面１６２Ｃ２を備えた形状に形成されているから、前扉１５０を閉じる方向へ回動していくと、ロック片１６２Ｃの傾斜面１６２Ｃ２が係合ピン１１４に当接し、更に、閉じる方向へ回動すると、可動プレート１６２が付勢手段１６３に抗して上方へ移動されるから、溝部１６２Ｃ１が開放され係合ピン１１４に嵌り込む。すると、可動プレート１６２が付勢手段１６３によって下方へ移動されるため、溝部１６２Ｃ１が塞がれる。つまり、溝部１６２Ｃ１からの係合ピン１１４の脱出が阻止された状態となるから、前扉１５０の開放が規制される。
【００７２】
＜下部ユニットの効果＞
（１７）下部ユニットＢ２において、木製の天板２２０の前端縁には凹部２２１が形成され、この凹部２２１の内端面を覆うように、凹部保護プレート２２５が設けられているから、下部ユニットＢ２の上部からメダルを補充する際にメダル補充用容器が凹部２２１に当たっても、凹部２２１が損傷するのを防止できる。
【００７３】
（１８）凹部保護プレート２２５は、下部ユニットＢ２の天板２２０上にストッパ部材２２３を固定するための止めねじ２２４を利用して、下部ユニットＢ２に固定されているから、部品点数を少なくできる。つまり、止めねじ２２４の数を少なくでき、その結果、組立作業工数も削減できる。
更に、止めねじ２２４を利用して、ストッパ部材２２３および凹部保護プレート２２５だけでなく、コネクタ２２８を取り付けるためのコネクタ取付プレート２２６も固定されているから、より部品点数の削減、組立工数の削減が図れる。
【００７４】
（１９）コネクタ２２８には、電源用コネクタ端子２２８Ａ、演出ユニット用コネクタ端子２２８Ｂ、主基板用コネクタ端子２２８Ｃなどが設けられているとともに、これらが透明な合成樹脂などから形成されたコネクタカバー２２９によって覆われているから、前扉２５０を開けて保守点検作業を行うにも、安全性を確保できる。
【００７５】
（２０）コネクタカバー２２９は、背面側を開口した偏平箱状のカバー本体２２９Ａと、このカバー本体２２９Ａの開口部一端側に一体的に設けられ係合孔２２７に回動可能に係合される折返フック片２２９Ｂと、カバー本体２２９Ａの開口部他端側に一体的に設けられ係合孔２２７に係止される係合爪２２９Ｃとを備えているから、係合爪２２９Ｃを係合孔２２７から外したのち、折返フック片２２９Ｂを支点としてコネクタカバー２２９を回動すれば、コネクタ２２８を露出した状態に開放できる。しかも、折返フック片２２９Ｂが係合孔２２７に回動可能に係合しているから、コネクタカバー２２９が外れて紛失してしまう虞もない。
【００７６】
（２１）連結ボルト３２２に略棒状の軸部３２２Ｃを設け、レール部材２２２の延長部２２２Ｃに、軸部３２２Ｃが挿通可能であるとともにおねじ３２２Ａが螺合可能な挿通孔２２２Ｄを設けている。これにより、おねじ３２２Ａをめねじ３２４に螺合することにより、連結ボルト３２２を延長部２２２Ｃに対して進退させることができるので、下部ユニットＢ２に延長部２２２Ｃを取り付けた後でも、連結ボルト３２２を、軸部３２２Ｃが挿通孔２２２Ｄに挿通されかつおねじ３２２Ａが延長部２２２Ｃよりも上部ユニットＢ１側に位置するように配設できる。そして、連結ボルト３２２をこのように配設すれば、連結ボルト３２２は、おねじ３２２Ａの下端部において挿通孔２２２Ｄのめねじ３２４により支持され落下が阻止される。そのため、連結ボルト３２２に略棒状の軸部３２２Ｃを設け、レール部材２２２の延長部２２２Ｃに軸部３２２Ｃが挿通可能であるとともにおねじ３２２Ａが螺合可能な挿通孔２２２Ｄを設けるだけの簡単な構成で、連結ボルト３２２の落下を阻止できる。また、連結ボルト３２２の落下を阻止するように、連結ボルト３２２を配設する作業を容易にできる。
【００７７】
（２２）ガイド部２２２Ａおよび延長部２２２Ｃは、１枚の板材の折り曲げ加工によって形成されているので、ガイド部２２２Ａおよび延長部２２２Ｃを押出成型やプレス成型などで容易に製造することができる。
【００７８】
［他の実施形態］
なお、本発明は、前述の実施形態に限定されるものではなく、本発明の目的を達成できる範囲での変形、改良等は本発明に含まれる。
たとえば、前記実施形態では、下部ユニットＢ２の筐体Ｂ２１に、遊技媒体投入手段Ｂ２２、操作手段Ｂ２３、電源ユニットＢ２４、外部集中端子板Ｂ２５、遊技媒体回収払出手段Ｂ２６を組み込んだが、これら全てを組み込まなくてもよい。遊技装置の機種などに応じて、適宜組み合わせて組み込めばよい。
【００７９】
上部ユニットＢ１と下部ユニットＢ２とを分離可能かつ前後方向に移動可能とする分離連結手段Ｂ３についても、前記実施形態の構成に限らず、他の構成でもよい。たとえば、下部ユニットＢ２の天板２２０上に１本のレールを前後方向に沿って配置し、この１本のレールを両側から挟むローラなどを上部ユニットＢ１の底板１３０に設けた構造でもよい。
ストッパ機構Ｂ３３についても、他の構成でもよく、あるいは、特別に設けなくてもよい。締結手段Ｂ３４についても、他の構成、たとえば、前記実施形態とは逆に、上部ユニットＢ１側から下部ユニットＢ２にボルトを挿通・螺合して締結するような構造とすれば、操作しやすい利点がある。
また、レール部材２２２に上部ユニットＢ１が後端側へ向かって収納されたとき上部ユニットＢ１に当接し上部ユニットＢ１の後退を規制するストッパ部材２２３を設けたが、本発明では、ストッパ部材２２３を必ずしも設けることを要しない。たとえば、下部ユニットＢ２の背板２４０の高さを高くし、この背板２４０の上端部に上部ユニットＢ１を当接させる構成のものでもよい。
仮に、ストッパ部材２２３を設けるとしても、その構造は前記実施形態のものに限定されるものではない。
【００８０】
連結部材としておねじ３２２Ａを備えた連結ボルト３２２を採用し、上部ユニットＢ１におねじ３２２Ａが螺合可能なナット部材３２３を備えたが、これに限らず例えば鍵状部材を備えた連結部材を採用し、上部ユニットＢ１にこの鍵状部材に係合されるとともに筐体Ｂ１１に固定された雌型係合部を設けてもよい。このようにすれば、おねじ３２２Ａをナット部材３２３に螺合させる構成と比べて、連結部材および筐体Ｂ１１を容易に連結できる。そのため、上部ユニットＢ１を下部ユニットＢ２に連結する作業をより容易にできる。
【００８１】
挿通孔２２２Ｄの内周に、おねじ３２２Ａが螺合されるめねじ３２４を形成したが、このめねじ３２４を形成せずに、例えば連結ボルト３２２のおねじ３２２Ａと軸部３２２Ｃとを分離可能な構成としてもよい。これにより、下部ユニットＢ２にレール部材２２２が取り付けられた後でも、軸部３２２Ｃを延長部２２２Ｃの挿通孔２２２Ｄに挿通させ、軸部３２２Ｃの先端におねじ３２２Ａを取り付けることにより、連結ボルト３２２の落下を阻止するように、連結ボルト３２２を配設できる。また、挿通孔２２２Ｄの内周にめねじ３２４を形成する必要がなくなるので、このめねじ３２４を形成する工程を省略できる。
【００８２】
連結ボルト３２２につまみ部３２２Ｂを設けたが、このつまみ部３２２Ｂの代わりに連結ボルト３２２の端面にドライバや六角レンチが嵌合可能な嵌合部を設け、ドライバや六角レンチを用いて連結ボルト３２２をナット部材３２３を螺合させる構成としてもよい。このようにすれば、例えば連結作業をし難い場所に連結ボルト３２２が配設された構成においても、連結作業を容易にできる。
【００８３】
ガイド部２２２Ａおよび延長部２２２Ｃを、１枚の板材の折り曲げ加工により形成したが、これらを別体としてもよい。このようにすれば、例えばガイド部２２２Ａが破損した場合でもガイド部２２２Ａのみを交換すればよく、本実施形態のようにガイド部２２２Ａおよび延長部２２２Ｃが設けられたレール部材２２２を交換する必要がない。そのため、ガイド部２２２Ａや延長部２２２Ｃが破損した場合の交換作業を容易にできる。
【００８４】
さらに、「島」を構成する遊技装置に適用するものに限らず、１台のみの遊技装置にも本発明を適用することができる。
【産業上の利用可能性】
【００８５】
本発明は、いわゆる「パチスロ」と称される回胴式遊技装置に利用できる他、たとえば、いわゆる「パチンコ」と称されるパチンコ式遊技装置、スロットマシン、業務用テレビゲーム機などにも利用することができる。
【図面の簡単な説明】
【００８６】
【図１】本発明の一実施形態の遊技システムを示す斜視図。
【図２】遊技装置の前扉を開放した状態を示す斜視図。
【図３】遊技装置の前扉を開放した状態の正面図。
【図４】遊技装置の上部ユニット筐体内を上方から見た斜視図。
【図５】遊技装置の上部ユニット筐体内を下方から見た斜視図。
【図６】遊技装置の上部ユニットに設けられる閉塞ロック機構を示す図。
【図７】遊技装置の下部ユニットを上方から見た斜視図。
【図８】遊技装置の下部ユニットに取り付けられるコネクタを示す斜視図。
【図９】遊技装置の下部ユニットに取り付けられるヒンジ機構を示す図。
【図１０】遊技装置の下部ユニットの前扉を裏面から見た斜視図。
【図１１】遊技装置の上部ユニットと下部ユニットとの分離連結手段を示す図。
【図１２】遊技装置の上部ユニットと下部ユニットとの締結手段を示す図。
【符号の説明】
【００８７】
Ｂ…      遊技装置
Ｂ１…    上部ユニット
Ｂ１１…  筐体
Ｂ１２…  リールユニット
Ｂ１３…  演出ユニット
Ｂ２…    下部ユニット
１７２…  リール
１９２…  遊技制御基板
２０２…  演出制御基板
２２２Ａ…ガイド部
２２２Ｃ…離脱阻止部材としての延長部
２２２Ｄ…挿通孔
３２２…  連結部材としての連結ボルト
３２２Ａ…おねじ
３２２Ｂ…つまみ部
３２２Ｃ…軸部
３２３…  めねじとしてのナット部材
【図１】
2005073864.tif 000003
【図２】
2005073864.tif 000004
【図３】
2005073864.tif 000005
【図４】
2005073864.tif 000006
【図５】
2005073864.tif 000007
【図６】
2005073864.tif 000008
【図７】
2005073864.tif 000009
【図８】
2005073864.tif 000010
【図９】
2005073864.tif 000011
【図１０】
2005073864.tif 000012
【図１１】
2005073864.tif 000013
【図１２】
2005073864.tif 000014